(57)【要約】【課題】  床下からの簡単な操作によって、床パネルが取り付けられた後でも、上方及び下方への土台の高さ調整を行うことのできるアンカーボルトによる土台取付け構造を提供する。【解決手段】  天端面１１ａに形成された開口凹部１４に上端雄ネジ部１５ａを配設した状態で、コンクリート基礎１１に埋設固定される主アンカーボルト１５と、下端雄ネジ部１７ａを下方に突出させた状態で土台１２下面に配設されるプレート部材１６に下端部分が固定されると共に、土台１２を貫通して上端部が土台１２の上面部１２ａに固定される副アンカーボルト１７と、逆ネジとなった上方雌ネジ１８ａ及び下方雌ネジ１８ｂを備え、主アンカーボルト１５の上端雄ネジ部１５ａと副アンカーボルト１７の下端雄ネジ部１７ａとが螺合されるスリーブ状ナット部材１８とからなる。スペース部１３においてスリーブ状ナット部材１８を回転することにより、土台１２の高さ調整を行う。【選択図】      図１
2006028932.tif 000002
【特許請求の範囲】
【請求項１】
コンクリート基礎の天端面との間にスペース部を間欠的に設けて当該天端面の上方に取り付けられる土台を、上下に高さ調整可能に設置するためのアンカーボルトによる土台取付け構造であって、
前記スペース部において前記天端面に形成された開口凹部に上端雄ネジ部を配設した状態で、前記コンクリート基礎に埋設固定される主アンカーボルトと、
前記土台の下面に配置されるプレート部材から下端雄ネジ部を下方に突出させた状態で当該プレート部材に下端部分が固定されると共に、前記土台を上下に貫通して上端部が前記土台の上面部に固定される副アンカーボルトと、
逆ネジとなった上方雌ネジ及び下方雌ネジを備え、前記主アンカーボルトの上端雄ネジ部と前記副アンカーボルトの下端雄ネジ部とが同時に螺合されるスリーブ状ナット部材とからなり、
前記スペース部における前記天端面と前記土台との間の隙間には、前記スリーブ状ナット部材の上端部分が前記開口凹部から突出して配置され、該上端部分の回転係止部に回転部材を係止して前記スリーブ状ナット部材を回転操作することにより、前記土台の上下の高さ調整を行うアンカーボルトによる土台取付け構造。
【請求項２】
前記開口凹部には、これの内周面に沿って保護スリーブが装着されている請求項１記載のアンカーボルトによる土台取付け構造。
【請求項３】
前記土台の直上には敷居が設けられる請求項１又は２に記載のアンカーボルトによる土台取付け構造。
【請求項４】
前記副アンカーボルトの上端部は、前記土台の上面部に形成された締着凹部において固定されることにより、当該上面部から上方に突出することなく設けられる請求項１〜３のいずれかに記載のアンカーボルトによる土台取付け構造。
【発明の詳細な説明】
【技術分野】
【０００１】
本発明は、アンカーボルトによる土台取付け構造に関し、特にコンクリート基礎の天端面との間にスペース部を間欠的に設けて当該天端面の上方に取り付けられる土台を、上下に高さ調整可能に設置するためのアンカーボルトによる土台取付け構造に関する。
【背景技術】
【０００２】
例えば木造住宅建築物の土台は、地盤面に支持させて設けられた布基礎等のコンクリート基礎の天端面に水平に設置され、これの上方に、根太、床パネル、下地合板パネル、敷居、床仕上材等が取り付けられることになる。
【０００３】
また、コンクリート基礎の天端面に設置される土台は、単に天端面に載置しただけでは、精度良く水平に設置することが難しい。これの対処方法として、例えば楔状の土台スペーサを天端面と土台との間に打ち込んで土台を上昇させることにより、高さ調整を行うことが考えられるが、周囲の部分で土台が浮きやすくなって土台の支持力が低下すると共に、一旦上昇させた土台を再度下降させて高さ調整を行うことが困難だった。このようなことから、土台の高さ調整を容易に行えるようにする技術が開発されている（例えば、特許文献１参照）。
【０００４】
特許文献１に記載の土台の支持構造によれば、図６に示すように、コンクリート基礎６０の天端面６１から上方に突出するアンカーボルト６２の先端雄ネジ部に、中心部分に雌ネジ部を有する土台受けプレート６３を螺合装着すると共に、この土台受けプレート６３の上方に、アンカーボルト６２を貫通させつつ土台６４を載置する。そして、土台受けプレート６３をアンカーボルト６２の先端雄ネジ部に沿って回転させることにより、土台６４を上下に移動して高さ調整を行った後、土台受けプレート６３の下方から緩み止めナット６５で締め付けると共に、先端雄ネジ部の上端を締め付けナット６６を介して土台６４の上端面に締着して、土台６４を固定するものである。
【特許文献１】特許第３４６６８５９号公報
【発明の開示】
【発明が解決しようとする課題】
【０００５】
一方、土台は木製の部材であることから、精度良く高さを調整して一旦取り付けた後に、乾燥収縮や湿気等の影響を受けて、土台にむくりや反り等を生じることにより、上下に高さの狂いが生じる場合がある。しかしながら、上記特許文献１の土台の支持構造によれば、土台受けプレート６３は、土台６４の上面側から締め付けナット６６によって押さえ付けられていることにより、上方への移動が規制され、また土台受けプレート６３を下方へ移動しても、これに伴って土台６４を下方に引き寄せることができない。したがって、根太や床パネルを取り付けた後の土台の高さ調整は、これらの根太や床パネル等を再度取り外して行う必要があり、例えば床下からの操作のみで高さ調整を行うことは困難だった。また、特に、土台６４の上方に敷居６７が設けられている場合には、乾燥収縮等による土台７４の高さの狂いの影響を受け易く、建具の開閉に支障を来すことになる。
【０００６】
本発明は、このような従来の課題に着目してなされたものであり、例えば床下からの簡単な操作によって、床パネルや下地合板パネル等が取り付けられた後であっても、上方のみならず下方への土台の高さ調整を容易に行うことのできるアンカーボルトによる土台取付け構造を提供することを目的とする。
【課題を解決するための手段】
【０００７】
本発明は、コンクリート基礎の天端面との間にスペース部を間欠的に設けて当該天端面の上方に取り付けられる土台を、上下に高さ調整可能に設置するためのアンカーボルトによる土台取付け構造であって、前記スペース部において前記天端面に形成された開口凹部に上端雄ネジ部を配設した状態で、前記コンクリート基礎に埋設固定される主アンカーボルトと、前記土台の下面に配置されるプレート部材から下端雄ネジ部を下方に突出させた状態で当該プレート部材に下端部分が固定されると共に、前記土台を上下に貫通して上端部が前記土台の上面部に固定される副アンカーボルトと、逆ネジとなった上方雌ネジ及び下方雌ネジを備え、前記主アンカーボルトの上端雄ネジ部と前記副アンカーボルトの下端雄ネジ部とが同時に螺合されるスリーブ状ナット部材とからなり、前記スペース部における前記天端面と前記土台との間の隙間には、前記スリーブ状ナット部材の上端部分が前記開口凹部から突出して配置され、該上端部分の回転係止部に回転部材を係止して前記スリーブ状ナット部材を回転操作することにより、前記土台の上下の高さ調整を行うアンカーボルトによる土台取付け構造を提供することにより、上記目的を達成したものである。
【０００８】
また、本発明のアンカーボルトによる土台取付け構造によれば、前記開口凹部には、これの内周面に沿って保護スリーブが装着されていることが好ましい。
【０００９】
さらに、本発明のアンカーボルトによる土台取付け構造によれば、前記土台の直上に敷居が設けられることが好ましい。
【００１０】
さらにまた、本発明のアンカーボルトによる土台取付け構造によれば、前記副アンカーボルトの上端部は、前記土台の上面部に形成された締着凹部において固定されることにより、当該上面部から上方に突出することなく設けられていることが好ましい。
【発明の効果】
【００１１】
本発明のアンカーボルトによる土台取付け構造によれば、例えば床下からの簡単な操作によって、床パネルや下地合板パネル等が取り付けられた後であっても、上方のみならず下方への土台の高さ調整を容易に行うことができる。
【発明を実施するための最良の形態】
【００１２】
図１に示す本発明の好ましい一実施形態に係るアンカーボルトによる土台取付け構造１０は、例えば木造住宅建築物において、地盤面に支持させて設けられた布基礎等のコンクリート基礎１１の上方に設置される木製の部材である土台１２に対して、当該土台１２が乾燥収縮や湿気等の影響を受けてむくりや反り等を生じることにより、上下に高さの狂いが生じた場合でも、高さの調整を容易にやり直すことができるようにするために採用されたものである。ここで、本実施形態によれば、木造住宅建築物は、例えば床下換気が可能な構造を備えており、床下に空気を導入したり床下から空気を排出できるように、コンクリート基礎１１の天端面１１ａに間隔をおいて複数配置した、例えば２０ｍｍ程度の厚さのスペーサ（図示せず）を介在させて、コンクリート基礎１１の上方に土台１２が設置されるようになっている。これによって、コンクリート基礎の天端面１１ａと土台１２との間には、例えば２０ｍｍ程度の高さのスペース部１３が間欠的に設けられることになり、これらのスペース部１３を介して床下換気が行われることになる。
【００１３】
そして、本実施形態のアンカーボルトによる土台取付け構造１０は、コンクリート基礎１１の天端面１１ａとの間にスペース部１３を間欠的に設けて当該天端面１１ａの上方に取り付けられる土台１２を、上下に高さ調整可能に設置するための取付け構造であって、スペース部１３において天端面１１ａに形成された開口凹部１４に上端雄ネジ部１５ａを配設した状態で、コンクリート基礎１１に埋設固定される主アンカーボルト１５と、土台１２の下面に配置されるプレート部材１６から下端雄ネジ部１７ａを下方に突出させた状態で当該プレート部材１６に下端部分が固定されると共に、土台１２を上下に貫通して上端部１７ｂが土台１２の上面部１２ａに固定される副アンカーボルト１７と、逆ネジとなった上方雌ネジ１８ａ及び下方雌ネジ１８ｂを備え（図２参照）、主アンカーボルト１５の上端雄ネジ部１５ａと副アンカーボルト１７の下端雄ネジ部１７ａとが同時に螺合されるスリーブ状ナット部材１８とによって構成される。そして、スペース部１３におけるコンクリート基礎１１の天端面１１ａと土台１２との間の隙間には、スリーブ状ナット部材１８の上端部分が開口凹部１４から突出して配置され、この上端部分の回転係止部１８ｃに回転部材１９を係止してスリーブ状ナット部材１８を回転操作することにより、土台１２の上下の高さ調整を行うことができるようになっている。
【００１４】
本実施形態の土台取付け構造１０を構成する主アンカーボルト１５は、公知の各種のアンカーボルトと同様の構成を備えるものであり、図２にも示すように、その上端部分を除く下方部分をコンクリート基礎１１中に埋設固定して、強固なアンカー支持力を発揮できるようになっている。また上端雄ネジ部１５ａが形成された主アンカーボルト１５の上端部分は、コンクリート基礎１１の天端面１１ａに開口形成された開口凹部１４に、天端面１１ａから上方に突出することなくこれの中央部分に収容配置されることになる。
【００１５】
ここで、開口凹部１４は、円形断面を有する垂直穴であって、後述するスリーブ状ナット部材１８を上下動可能に遊嵌できる程度の大きさの内径を備えている。また開口凹部１４には、これの内周面を覆うようにして円筒形状の保護スリーブ２０が装着されており、これによって当該内周面が強固に防護されることになる。また、コンクリート基礎１１を形成するためのコンクリートを打設する際に、主アンカーボルト１５の配設位置を囲む型枠内の所定の位置に、この保護スリーブ２０を取り付けておくことにより、当該保護スリーブ２０を型枠代わりとして、開口凹部１４をコンクリート基礎１１の天端面１１ａに容易に形成することが可能になる。
【００１６】
本実施形態の土台取付け構造１０を構成する副アンカーボルト１７は、例えば両端部に雄ネジ部を備える両ネジボルトからなり、その一方の雄ネジ部を下端雄ネジ部１７ａとして、プレート部材１６の中央から下方に突出させつつ、これよりも上方部分を垂直に立設させた状態で、当該プレート部材１６に溶接等によって一体として接合されている。これによって、プレート部材１６を土台１２の下面側に装着した際に、土台１２を上下に貫通して設けたボルト孔２１に副アンカーボルト１７が挿通され、その上端部１７ｂの雄ネジ部が、ナット２２を介して土台１２の上面部１２ａに固定されることになる。
【００１７】
ここで、本実施形態によれば、副アンカーボルト１７の下端雄ネジ部１７ａよりも上方の部分の長さは、土台１２の高さを超えない長さとなっており、土台１２の上面部１２ａには、ボルト孔２１を囲んで締着凹部２３が形成されていている。副アンカーボルト１７の上端部１７ｂは、この土台１２の上面部１２ａに形成された締着凹部２３において締着固定されることにより、上面部１２ａから上方に突出することなく設けられる。これによって、土台１２の上方に下地合板パネル２４、敷居２５、床仕上材２６等を設置してゆく際に、副アンカーボルト１７の上端部１７ｂが邪魔になるのを回避することが可能になる。
【００１８】
また、副アンカーボルト１７が接合されるプレート部材１６は、土台１２の底面の幅と略同様の幅を有する矩形平面形状の本体部１６ａと、本体部１６ａの一方の対向する側縁部から折れ曲がって立設する一対の幅止め部１６ｂとからなるコの字断面形状を有しており、土台１２の底面部分に沿って填め込むようにして装着される。また本体部１６ａの中央に設けたボルト固定孔１６ｃに副アンカーボルト１７を挿通させた状態で、当該副アンカーボルト１７がボルト固定孔１６ｃに接合固定されることになる。なお、本実施形態によれば、副アンカーボルト１７は、ボルト固定孔１６ｃの周縁部に溶接等によって接合固定されているが、例えばボルト固定孔１６ｃに合致させてナット部材をプレート部材１６の下面側に固定しておき、このナット部材を介して副アンカーボルト１７を、その突出長さを調整可能に固定することもできる。
【００１９】
本実施形態の土台取付け構造１０を構成するスリーブ状ナット部材１８は、図３に拡大して示すように、六角形断面の外周形状を有しており、その全体がスパナ等の回転部材１９（図２参照）を係止可能な回転係止部１８ｃを構成していると共に、その最大の外径が、開口凹部１４に装着される保護スリーブ２０に遊嵌可能な大きさとなっている。またスリーブ状ナット部材１８の内周面に形成された雌ネジは、例えば上方雌ネジ１８ａが左ネジ、下方雌ネジ１８ｂが右ネジとなった逆ネジ構造となっている。そして、土台取付け構造１０を設ける際には、プレート部材１６に固定された副アンカーボルト１７の下端雄ネジ部１７ａが上方雌ネジ１８ａに螺合されると共に、主アンカーボルト１５の上端雄ネジ部１５ａが下方雌ネジ１８ｂに螺合され、且つスリーブ状ナット部材１８は、上端部分の回転係止部１８ｃをスペース部１３における天端面１１ａと土台１２との間の隙間に突出配置した状態で、内周面が保護スリーブ２０によって覆われた開口凹部１４の内側に配設されることになる（図１参照）。
【００２０】
また、プレート部材１６の上面には、副アンカーボルト１７をボルト孔２１に挿通しつつ土台１２が取り付けられると共に、副アンカーボルト１７の上端部１７ｂは、締着凹部２３において土台１２の上面部１２ａに締着固定され、これによって本実施形態の土台取付け構造１０が形成されることになる。さらに、本実施形態によれば、土台１２の上方には、当該土台１２に支持させて、床部材である下地合板パネル２４、敷居２５、床仕上材２６等が設置されることになる。
【００２１】
そして、上述の構成を有する本実施形態のアンカーボルトによる土台取付け構造１０によれば、スペース部１３におけるコンクリート基礎１１の天端面１１ａと土台１２との間の例えば２０ｍｍ程度の高さの隙間に突出配置された、スリーブ状ナット部材１８の六角形断面の回転係止部１８ｃに対して、スパナ等の回転部材１９を係止してスリーブ状ナット部材１８を回転操作することにより、土台１２の上下の高さ調整を行うことになるが、本実施形態によれば、床下からの簡単な操作によって、下地合板パネル２４等の床部材が取り付けられた後であっても、上方のみならず下方への土台１２の高さ調整を容易に行うことができる。
【００２２】
すなわち、本実施形態によれば、主アンカーボルト１５の上端雄ネジ部１５ａ及び副アンカーボルト１７の下端雄ネジ部１７ａが同時に螺合される、スリーブ状ナット部材１８の上方雌ネジ１８ａと下方雌ネジ雌ネジ１８ｂは、逆ネジとなっており、且つスリーブ状ナット部材１８の上端部分の回転係止部１８ｃが、スペース部１３におけるコンクリート基礎１１の天端面１１ａと土台１２との間の隙間に配置されているので、この隙間に例えば床下空間から回転部材１９を挿入して回転係止部１８ｃに係止し、右方向又は左方向に回転操作すれば、スリーブ状ナット部材１８が回転して、これに螺合された主アンカーボルト１５の上端雄ネジ部１５ａと副アンカーボルト１７の下端雄ネジ部１７ａが、離れる方向或いは近づく方向に移動する。これによって、下地合板パネル２４等を特に取り外すことなく、乾燥収縮や湿気等の影響を受けて、土台１２にむくりや反り等を生じることにより上下に高さの狂いが生じた場合でも、上方のみならず下方への土台１２の高さ調整を容易にやり直すことが可能になる。
【００２３】
また、本実施形態によれば、土台１２の直上には敷居２５が設けられており、敷居２５及びこれの下方の土台１２に高さの狂いが生じると、この高さの狂いの影響を受けて、敷居２５に取り付けられる建具のスライド移動に障害を及ぼすことになりがちであるが、本実施形態によれば、上述のように、土台１２や敷居２５に乾燥収縮等による高さの狂いが生じた場合でも、高さの調整を容易にやり直すことが可能なので、建具が敷居２５に沿ってスライド移動しやすいように容易に修正することが可能になる。
【００２４】
なお、本発明は上記実施形態に限定されることなく種々の変更が可能である。例えば、開口凹部の内周面に沿って保護スリーブを装着する必要は必ずしもなく、副アンカーボルトの上端部を土台の上面部に形成された締着凹部において固定する必要は必ずしもない。また、本発明の土台取付け構造は、直上に敷居が設けられる土台に限定されることなく、その他の部分に配置される土台の取付け構造として採用することもできる。さらに、スリーブ状ナット部材の上端部分の回転係止部として、図４に示すように、スリーブ状ナット部材１８の断面形状よりも一回り大きな張出しナット部２７を一体接合し、この張出しナット部２７の大きな外径によって、スリーブ状ナット部材１８の回転操作をよりスムーズに行えるようにすることもできる。さらにまた、図５（ａ），（ｂ）に示すように、周面に凹凸刃２８ａが設けられた円盤プレート２８をスリーブ状ナット部材１８の上端部分に回転係止部として一体接合しておき、この円盤プレート２８をスペース部１３におけるコンクリート基礎１１の天端面１１ａと土台１２との間の隙間に配置し、例えばドライバ−２９の先端を凹凸刃２８ａに係止しつつ、スリーブ状ナット部材１８を回転操作するようにして良い。
【図面の簡単な説明】
【００２５】
【図１】本発明の一実施形態に係るアンカーボルトによる土台取付け構造の構成を説明する断面図である。
【図２】本発明の一実施形態に係るアンカーボルトによる土台取付け構造の構成を説明する分解断面図である。
【図３】スリーブ状ナット部材の説明図である。
【図４】スリーブ状ナット部材の他の形態を例示する斜視図である。
【図５】スリーブ状ナット部材の他の形態を説明する、（ａ）は断面図、（ｂ）上面図である。
【図６】従来の土台取付け構造の構成を説明する断面図である。
【符号の説明】
【００２６】
１０  アンカーボルトによる土台取付け構造
１１  コンクリート基礎
１１ａ  コンクリート基礎の天端面
１２  土台
１３  スペース部
１４  開口凹部
１５  主アンカーボルト
１５ａ  主アンカーボルトの上端雄ネジ部
１６  プレート部材
１７  副アンカーボルト
１７ａ  副アンカーボルトの下端雄ネジ部
１７ｂ  副アンカーボルトの上端部
１８  スリーブ状ナット部材
１８ａ  スリーブ状ナット部材の上方雌ネジ
１８ｂ  スリーブ状ナット部材の下方雌ネジ
１９  回転部材（スパナ）
２０  保護スリーブ
２１  ボルト孔
２２  ナット
２３  締着凹部
２４  下地合板パネル
２５  敷居
２６  床仕上材
【図１】
2006028932.tif 000003
【図２】
2006028932.tif 000004
【図３】
2006028932.tif 000005
【図４】
2006028932.tif 000006
【図５】
2006028932.tif 000007
【図６】
2006028932.tif 000008